(57)【要約】【課題】従来の手動タイプ有機廃棄物の粉砕及び排水装置は、簡単な遠心分離機で、植物及び半液体タイプの有機廃棄物が「圧搾」によって大部分の水分を排除するようになっている。もう一つ別のタイプの機械もあるが、排水パーツと、構造及び機能的に関連する粉砕パーツとは分かれているため、空間の制限を受け、特に、厨房のシンク内において扱いにくく、手動で空にするため、使用上不便であり、不衛生でもある。その他の営業タイプの機械は、使用上、設計上、容量が大きく、排水系統が完備されている。残滓を粉砕する遠心分離と圧搾の動作が結合していて、これらの機械は理想的な使用効果が得られる。しかしながら、機械のサイズ及びコストは、家庭用に適さない。【解決手段】本発明の有機廃棄物の粉砕及び排水装置は、粉砕区及び排水区からなり、直接モーターの駆動軸に取り付けられる。そのモーターは、粉砕装置を動かすだけでなく、本装置の全てを作動させる。収集装置は二方向で、脇道バルブが、電源が切られた時には、漏斗あるいは水槽の水分のみを排出し、直接排水管に送る。上述の収集装置は、排水装置上方の開口部に接続していて、遠心分離機もまた、上述のモーターによって駆動する。モーターが動き、遠心分離機を自動的にきれいにし、軸は粉砕区及び排水区間の中間の位置にある二つのベルトを回転させる。遠心分離機には防水保護パーツがあることにより、輸送菅が、排水菅に送られた物が遠心分離する段階において排出された水を、簡単に収集することができるようになっている。さらに、開閉パーツが一時的に移動し、排水された廃棄物は分けられて、下方の容器あるいは収集袋内に落下する。この装置は家庭用にも適用可能であり、構造がシンプルで、体積及び重量も小さく、重さを量ることもでき、家庭内で生じた残滓を楽に処理できるという特長を持つ。【選択図】図１
2004518534.tif 000002
【特許請求の範囲】
【請求項１】
漏斗によって廃棄物が進入し、家庭用であり、粉砕装置及び水分離装置からなり、移動分離、及び、排水後の廃棄物を処理する装置、起動モーター装置も含み、
粉砕装置と排水装置が単一モーターによって循環駆動し、排水装置の底部が開き、分離と排水後の廃棄物が下方の収集容器に落ちるという特長を持つ、有機廃棄物の粉砕及び排水装置。
【請求項２】
粉砕装置と排水装置が互いに同軸で、モーターによって駆動するという特長を持つ、請求項１に記載の有機廃棄物の粉砕及び排水装置。
【請求項３】
粉砕装置と排水装置が伝動装置によって連結され、単一モーターによって駆動するという特長を持つ、請求項１に記載の有機廃棄物の粉砕及び排水装置。
【請求項４】
排水装置が遠心分離機を含む、請求項１から請求項３のうちの一項に記載の有機廃棄物の粉砕及び排水装置。
【請求項５】
排水装置が回転羽を持つ圧搾装置を含む、請求項１ないし３のうちの一項に記載の有機廃棄物の粉砕及び排水装置。
【請求項６】
収集容器の下に内容物の重量を示す電子ばかり装置がある、請求項１に記載の有機廃棄物の粉砕及び排水装置。
【請求項７】
はかり装置の部分及び全体が全てあらかじめ設定した時間内の重量を示す、請求項６に記載の有機廃棄物の粉砕及び排水装置。
【請求項８】
はかり装置にリモコン装置が連結している、請求項６に記載の有機廃棄物の粉砕及び排水装置。
【請求項９】
粉砕装置と排水装置の間に、脇道バルブがある収集装置があり、選択的に、粉砕装置を排水装置に連結して、排水菅の導管に連絡するという特長を持つ、請求項１に記載の有機廃棄物の粉砕及び排水装置。
【請求項１０】
漏斗が洗浄槽になっているという特長を持つ、請求項１ないし９のうちの一項に記載の有機廃棄物の粉砕及び排水装置
【請求項１１】
家庭用で、前述の説明及び図解の通りで、本文中の説明の用途に使用される、Ａ有機廃棄物の粉砕及び排水装置。
【発明の詳細な説明】
【０００１】
【発明の属する技術分野】
本発明は有機廃棄物の粉砕及び排水装置に関する。本発明の有機廃棄物の粉砕及び排水装置は、家庭用で、自発及び吸い取りが可能で、排出された液体を受けて溜める容器からなる。
【０００２】
【従来の技術及び課題】
都市の固体廃棄物（ＳＵＷ）の処理は、多くの問題を含んでいて、様々な研究課題となっている。廃棄物を分解して、粉砕されたものの収集システムは、すでにいくつか開発されていて、廃棄物の種類によって、分類、収集及び選択されている。
さらに、詳しく言えば、より多くの分類収集をサポート及び利用するためのシステムの研究及び技術が生まれている。
現在、一般に、最も複雑な都市固体廃棄物の粉砕処理とされているのは、腐乱した有機廃棄物（ＰＯＷ）あるいは都市固体廃棄物の有機粉砕物（ＳＵＷＯＦ）である。
この研究分野において、事実上、すでに都市固体廃棄物各種粉砕物の収集処理機能及びコストが、どのように、腐乱した有機粉砕物の判別、収集と密接に関わっているかが証明されている。
収集システムの構造から言えば、収集物が最高の製品純度を保つことは、その後の使用において必然的に利益となる。言い換えれば、元の有機廃棄物収集源に近いほど、全体システムにとっても多くのメリットがあるのである。
現在ある、従来の技術において、すでに機械及びシステムが研究されている。特に、腐乱した有機粉砕物の処理、例えば、小型の分解可能な袋を用いて、人口的に収集し、いわゆる高品質堆肥工場内において、都市固体廃棄物の有機粉砕物・有機残滓ｓｕｂｓｉｎｋ粉砕（いわゆるｄｉｓｓｉｐａｔｏｒ）の機械、及び、それらを廃水−浄化器−排水システム等である。
これらの機器は多くの異なった電力及び形式であり、その使用範囲は、家庭用や、レストラン・バー等の商業的用途、そして、スパー・マーケット等の大量使用機関等に至るまで様々である。
これらのシステムには、それぞれ長所も短所もあり、コストや排水−浄化器の運転に影響することになる。
これらの問題に関する情報をさらに詳しく知るために、現在市場に出回っている多くの機器が処理している、都市固体廃棄物有機粉砕物の分類、収集の問題に注意する必要がある。これらの機器は、液体中から固体を分離する機能を持つため、排水系統あるいは排水装置に定義されている。
第一の例は、手動タイプの装置である。このタイプは、簡単な遠心分離機で、大部分の状況下において、植物及び半液体タイプの有機廃棄物が「圧搾」によって大部分の水分を排除するようになっている。
もう一つ別のタイプの複雑な機械は、まず、残滓を粉砕し、それを機械のある部分に送り、粉砕物に含まれる水分は、ここで廃棄物の固体成分から分離される。これらの機械は、家庭用機械に分類され、排水パーツ（通常は一個の遠心分離機）と構造及び機能的に、関連する粉砕パーツとは分かれている。このことは、空間の制限を受け、特に、厨房のシンク内において扱いにくく、手動で空にするため、使用上不便であり、不衛生でもある。
その他の営業タイプの機械は、使用上、設計上、容量が大きく、排水系統が完備されている。残滓を粉砕する遠心分離と圧搾の動作が結合していて、これらの機械は理想的な使用効果が得られる。しかしながら、機械のサイズ及びコストは、家庭用に適さない。さらに、これらの装置は、３８０ボルトの電力が必要で、個人の住宅には適用されない。しかし、機械は自動的に空にされるため、実用的で、清潔である。したがって、残滓が容器内に送られることがない。
【０００３】
【課題を解決するための手段】
本発明の有機廃棄物の粉砕及び排水装置は、粉砕区及び排水区からなり、直接モーターの駆動軸に取り付けられる。そのモーターは、粉砕装置を動かすだけでなく、本装置の全てを作動させる。収集装置は二方向で、脇道バルブが、電源が切られた時には、漏斗あるいは水槽の水分のみを排出し、直接排水管に送る。上述の収集装置は、排水装置上方の開口部に接続していて、遠心分離機もまた、上述のモーターによって駆動する。モーターが動き、遠心分離機を自動的にきれいにし、軸は粉砕区及び排水区間の中間の位置にある二つのベルトを回転させる。遠心分離機には防水保護パーツがあることにより、輸送菅が、排水菅に送られた物が遠心分離する段階において排出された水を、簡単に収集することができるようになっている。さらに、開閉パーツが一時的に移動し、排水された廃棄物は分けられて、下方の容器あるいは収集袋内に落下する。
この装置は家庭用にも適用可能であり、構造がシンプルで、体積及び重量も小さく、重さを量ることもでき、家庭内で生じた残滓を楽に処理できるという特長を持つ。
【０００４】
【発明の実施の形態】
図１を参照いただきたい。本発明の有機廃棄物の粉砕及び排水装置１１は、水槽１２の下にあって、下部の排水口１３は、一個の単一パーツである。本例に示した水槽も一個の漏斗あるいは処理される有機廃棄物を含む一個の類似工具でもよい。
装置１１は、粉砕区及び排水区Ｂからなる。この装置は、ｄｉｓｓｉｐａｔｏｒあるいは粉砕装置１４からなり、直接モーター１５の駆動軸（図には示していない）に取り付けられる。そのモーター１５は、粉砕装置１４を動かすだけでなく、本装置の全てを作動させる。
固定カバー１６は、水槽装置を粉砕装置１４の上にしっかり結合させる役割を果たす。
Ｄｉｓｓｉｐａｔｏｒあるいは粉砕装置１４の側面あるいは上面から延びた収集装置１７は、粉砕する物は上述の単一パーツの傍らの区域に送られる。本例においても示されているように、収集装置１７は二方向で、脇道バルブ１８が、電源が切られた時には、漏斗あるいは水槽の水分のみを排出し、直接排水管に送る。用水菅３０に電源が取り付けてあり、操作する場合は、バルブ１８はそれを排水装置２０に導くようになっている。
図１には、収集装置１７がどのように粉砕装置１４が処理した物を排水し、排水区まで導くかも示している。
上述の収集装置１７は、事実上、排水装置上方の開口部２１に接続していて、遠心分離機２０もまた、上述のモーター１５によって駆動する。このことにより、溝のあるベルト車２２及び個別の支柱軸２３などの伝動装置は、伝動ベルト２４に連結される。
実際の動作は、モーター１５が動き、遠心分離機２０を自動的にきれいにし、軸２３は粉砕区及び排水区間の中間の位置にある二つのベルトを回転させる。遠心分離機２０には防水保護パーツ２５があることにより、輸送菅１９が、排水菅に送られた物が遠心分離する段階において排出された水を、簡単に収集することができるようになっている。
さらに、遠心分離機２０は、底部から開けられ、下端開閉するパーツ２６があり、遠心分離段階で物をストップさせ、操作終了後にそれを落下させるようになっている。開閉パーツ２６は、一時的に移動し、排水された廃棄物は分けられて、下方の容器あるいは収集袋２７内に落下する。
容器あるいは袋２７は、電子はかり２８のような、重さを量る装置の上に置いて、部分的にしろ、全部にしろ、あらかじめ設定した時間、例えば、１週間あるいは１ヶ月分の内容物の重量を量る。重さを量る装置２８は、リモコン操作も可能で、加工及び処理された数量が遠くからでも読み取ることができる。
この装置のはかり２８の下には、高度が調整できる防震効果のある支柱２９がある。
図２を参照いただきたい。本発明のもう一つの実施例である。上述と同じ符号が同様のパーツに用いられている。
モーター１５に接続された粉砕装置１４は、水槽の下に取り付けられる。
モーター１５は、軸３０が下に向かって伸びていて、軸３０は、遠心分離機１２０をモーター１５に連なる同軸の位置で回転させる。収集装置１７は、上述の例と同様で、粉砕装置１４を遠心分離機２０上方の開口部２１に連結する。
廃棄物は、遠心分離の段階で水分が排出され、防水保護パーツ２５によって直接収集される。そして、輸送菅１９によって排水菅に送られる。
上述の実施例において、遠心分離機１２０は、下方の開閉パーツ２６によって物をストップさせるようになっている。遠心分離する段階、並びに、操作終了時において、開閉パーツ２６が移動して、排水された廃棄物は分けられて、下方の容器あるいは収集袋２７内に落下する。
この装置の電動／電子部分は、絶縁軌道内にあり、使用時に触れることがない。特別なスイッチ（図示されていない）によって、機械装置のいかなる部分あるいは他の電子部品が保護されていて安全措置が採られている。万一、触れた場合でも、装置の電源が切られ、電流を取り除くようになっている。
図３を参照いただきたい。本発明のまた別の実施例である。上述と同じ符号が同様のパーツに用いられている。
この第三の実施例は第一の実施例に類似している。ベルト付の車２２の伝動装置は、支柱軸２３と伝動ベルト２４である。この伝動装置は、回転羽２２０のある圧搾装置からなる排水装置を動かす。
本例でも、防水保護パーツ２５があって、水を収集排出する。下方の開閉パーツ２６あるいは類似する装置は、圧搾時に廃棄物をストップさせ、処理が終了した時開くようになっている。開閉パーツ２６が一時移動して、排水された廃棄物が分けられて、下方の容器あるいは収集袋２７内に落下するのは、上述の例と同様である。
本例においても、電子ばかり２８があり、部分的にしろ、全部にしろ、あらかじめ設定した時間の内容物の重量を示すようになっている。
このように、本発明は簡単で迅速な方式で達成される。
この装置は家庭用にも適用可能であり、構造がシンプルで、体積及び重量も小さく、重さを量ることもでき、家庭内で生じた残滓を楽に処理できるという特長を持つ。
このタイプの小型家庭用設備は、環境及び生態保護の政策にしたがって、都市の固体廃棄物の有機粉砕物の分類収集に効果を発揮することができる。厨房において残滓が発生した時、ただちにこれを処理することにより、処理物の純度を保ち、分類収集のコストを押さえることができる。
粉砕区は、カッターと摩擦によって粉砕する装置からなる。残滓と固定した羽が接触した回転盤を利用して、遠心分離動作を組み合わせて使用する。
さらに、この動作は、摩擦に類似していて、回転円盤上のプッシュ式のパーツを組み合わせ、その推進力を利用し、固定することにより、重さを押して、放射状方向に自由に移動させる。入り口の所で廃棄物の選択が行われる。事実上、この装置は進入する口が制限され、サイズは一般の水槽底面の排水菅と同様である。
そして、この装置が残滓を粉砕して、適当な区域内で排水を行い、あらかじめ設定された順序にしたがって下方の容器内に排出される。
残滓は、粉砕区で粉砕された後、乾燥区内で排水されて、微粒形式で非常に高い容積密度で特定の容器内に排出される。
この装置から排出される有機残滓の外観と特徴は、容器のタイプと同じで、廃棄物の密度は大きな重要性を持つ。
この装置は、高品質堆肥の二次原料の製造装置として見なすことができる。この装置によって生産された製品は、水中で粉砕されているため、その塩分濃度が極めて低い。さらに、生物量の生物発酵過程における湿度の制御も優れている。その上、政府の方針に呼応した熱利用工場の燃料のように、水分を抑えることは工場の熱力効果にとって非常に重要である。さらに、方法そのものの運転を促すことにもつながる（工場ボイラーエネルギーのバランスにおいて温度を維持する）。
そして、本発明の装置は、廃棄物の体積及び腐乱を低く押さえることが可能である。したがって、経済的に、生態学的に節約の効果がある。事実上、気体の放出を低下させるのは、収集道具と関係がある。なぜなら、それらは自動清掃排水装置があることにより、いかなるタイプであろうと、比較的小さい排出量で済むからである。
廃棄物は水流によって粉砕区に送られ、その後、粉砕した廃棄物は排水装置に送られ、その排水装置は、自動清掃によって、乾いた残滓が底部のプレートに落ちる。周期が終了すると、例えば、いくつかの部分に分割するように、底部が移動し、その後、設定した起動装置が開き、挿入して、残滓が下方の容器内に落ちる。その容器のはかりが「満」の信号を発したときに限り、容器が特定の開口部から取り除かれて、新しい行程が始まる。
この装置は、楽にクリーニングが行える。特に、排水区は、事実上食物残滓に細菌が繁殖して、いやなにおいがする。
したがって、この装置のパーツは、取り外しや分解ができなければならない。さらに、一定期間使用しても、材質（プラスチックあるいはステンレス）が変化しないように製造する必要があり、いやなにおいが発生せず、全部楽に、迅速に分解、組立ができるものでなければならない。
【０００５】
【発明の効果】
本発明の有機廃棄物の粉砕及び排水装置は、現在ある家庭用機械の欠点を解決し、工業機械の補助装置を必要としないという特長がある。
また、本発明の有機廃棄物の粉砕及び排水装置は、簡単で、比較的軽く、水槽の下の限られた空間内に簡単に取り付けができるという特長を持つ。
さらに、処理及びクリーニングがしやすく、メンテナンスが楽であるという特長を持つ。
そして、本発明の有機廃棄物の粉砕及び排水装置は、家庭用の都市固体廃棄物の有機粉砕分類収集に対して、優れた解決方法を提供していて、環境保護及び収集上、経済的効果が大きいという特長を持つ。
【図面の簡単な説明】
【図１】
本発明の有機廃棄物の粉砕及び排水装置の、第一の具体的実施例の立体図である。
【図２】
本発明の有機廃棄物の粉砕及び排水装置の、第二の具体的実施例の立体図である。
【図３】
本発明の有機廃棄物の粉砕及び排水装置の、第三の具体的実施例の立体図である。
【符号の説明】
１１  本体
１２  水槽
１３  排出口
１４  粉砕装置
１５  モーター
１６  固定カバー
１７  収集装置
１８  脇道バルブ
１９  輸送管
２０  排水装置／遠心分離機
２１  開口部
２２  ベルト車
２３  個別支柱軸
２４  タイマー伝動ベルト
２５  防水保護パーツ
２６  開閉パーツ
２７  収集袋
２８  電子ばかり
２９  坊震支柱（高度の調整可能）
３０  水管
１２０  遠心分離機
２２０  回転羽
【国際公開パンフレット】
2004518534.tif 000003
2004518534.tif 000004
2004518534.tif 000005
2004518534.tif 000006
2004518534.tif 000007
2004518534.tif 000008
2004518534.tif 000009
2004518534.tif 000010
2004518534.tif 000011
2004518534.tif 000012
2004518534.tif 000013
2004518534.tif 000014
2004518534.tif 000015
2004518534.tif 000016
2004518534.tif 000017
2004518534.tif 000018
2004518534.tif 000019
2004518534.tif 000020
2004518534.tif 000021
2004518534.tif 000022
【国際調査報告】
2004518534.tif 000023
2004518534.tif 000024
2004518534.tif 000025